(57)【要約】【課題】連接棒の軸受部を小型化することを可能とするジャーナル軸受装置を提供する。【解決手段】ジャーナルピンの軸線周りを回動可能に構成された連接棒を備えるジャーナル軸受装置であって、ジャーナルピンの軸方向に沿った少なくとも一断面において、軸受面のうち軸受中央部に属する部分とジャーナルピンの外周面との間隔の最小値をＤ０、軸受面のうち一方側オーバーハング部に属する部分とジャーナルピンの外周面との間隔の最小値をＤ１、軸受面のうち他方側オーバーハング部に属する部分とジャーナルピンの外周面との間隔の最小値をＤ２とすると、Ｄ０＞Ｄ１、及びＤ０＞Ｄ２を満たすようジャーナルピンと連接棒とが構成される。【選択図】  図４
2016161004.tif 000002
【特許請求の範囲】
【請求項１】
ジャーナルピンと、前記ジャーナルピンの軸線周りを回動可能に構成された連接棒と、を備えるジャーナル軸受装置であって、
前記連接棒は、幹部と、前記幹部の一端側に設けられ、前記ジャーナルピンの外周面のうち前記幹部側の面に対向する軸受面を有する幹部側軸受部と、を含み、
前記幹部側軸受部は、
前記幹部のうち前記ジャーナルピンの軸方向における幅が最も小さい最小幅部とオーバーラップする軸受中央部と、
前記ジャーナルピンの軸方向において前記軸受中央部の一方側に隣接し、前記ジャーナルピンの軸方向において前記幹部の前記最小幅部に対して前記一方側へ張り出した一方側オーバーハング部と、
前記ジャーナルピンの軸方向において前記軸受中央部の他方側に隣接し、前記ジャーナルピンの軸方向において前記幹部の前記最小幅部に対して前記他方側へ張り出した他方側オーバーハング部と、を有し、
前記軸受面のうち前記軸受中央部に属する部分と前記ジャーナルピンの前記外周面との間隔の最小値をＤ０、前記軸受面のうち前記一方側オーバーハング部に属する部分と前記ジャーナルピンの前記外周面との間隔の最小値をＤ１、前記軸受面のうち前記他方側オーバーハング部に属する部分と前記ジャーナルピンの前記外周面との間隔の最小値をＤ２とすると、Ｄ０＞Ｄ１、及びＤ０＞Ｄ２を満たすよう前記ジャーナルピンと前記連接棒とが構成されるジャーナル軸受装置。
【請求項２】
前記軸受面のうち前記軸受中央部に属する部分と前記ジャーナルピンの軸線との距離の最小値をＲ０、前記軸受面のうち前記一方側オーバーハング部に属する部分と前記ジャーナルピンの軸線との距離の最小値をＲ１、前記軸受面のうち前記他方側オーバーハング部に属する部分と前記ジャーナルピンの軸線との距離の最小値をＲ２とすると、Ｒ０＞Ｒ１、及びＲ０＞Ｒ２を満たすよう前記連接棒の前記軸受面が形成されている請求項１に記載のジャーナル軸受装置。
【請求項３】
前記ジャーナルピンの軸方向に沿った前記少なくとも一断面において、前記軸受面のうち前記一方側オーバーハング部に属する部分は、前記ジャーナルピンの軸方向における前記一方側へ向かうにつれて前記ジャーナルピンの軸線に近づくように傾斜する一方側傾斜部を有し、
前記ジャーナルピンの軸方向に沿った前記少なくとも一断面において、前記軸受面のうち前記他方側オーバーハング部に属する部分は、前記ジャーナルピンの軸方向における前記他方側へ向かうにつれて前記ジャーナルピンの軸線に近づくように傾斜する他方側傾斜部を有する請求項１又は２に記載のジャーナル軸受装置。
【請求項４】
前記ジャーナルピンの軸方向に沿った前記少なくとも一断面において、前記一方側傾斜部及び前記他方側傾斜部はそれぞれ凹状に湾曲している請求項３に記載のジャーナル軸受装置。
【請求項５】
前記ジャーナルピンの軸方向に沿った前記少なくとも一断面において、前記一方側傾斜部の傾き及び前記他方側傾斜部の傾きはそれぞれ一定である請求項３に記載のジャーナル軸受装置。
【請求項６】
前記ジャーナルピンの軸方向に沿った前記少なくとも一断面において、前記軸受面のうち前記軸受中央部に属する部分は前記ジャーナルピンの軸線に平行である請求項３乃至５の何れか１項に記載のジャーナル軸受装置。
【請求項７】
前記ジャーナルピンの軸方向に沿った前記少なくとも一断面において、前記軸受面全体が凹状に湾曲している請求項３に記載のジャーナル軸受装置。
【請求項８】
前記ジャーナルピンの外周面は、前記軸受面のうち前記軸受中央部に属する部分に対向する外周面中央部と、前記軸受面のうち前記一方側オーバーハング部に属する部分に対向する外周面一方側部と、前記軸受面のうち前記他方側オーバーハング部に属する部分に対向する外周面他方側部と、を有し、
前記ジャーナルピンの軸方向に沿った前記少なくとも一断面において、前記外周面中央部と前記ジャーナルピンの軸線との距離の最小値をｒ０、前記外周面一方側部と前記ジャーナルピンの軸線との距離の最小値をｒ１、前記外周面他方側部と前記ジャーナルピンの軸線との距離の最小値をｒ２とすると、ｒ０＜ｒ１、及びｒ０＜ｒ２を満たすよう前記ジャーナルピンの前記外周面が形成されている請求項１乃至７の何れか１項に記載のジャーナル軸受装置。
【請求項９】
前記ジャーナルピンの軸方向に沿った前記少なくとも一断面において、前記外周面一方側部は、前記ジャーナルピンの軸方向における前記一方側へ向かうにつれて前記ジャーナルピンの軸線から離れるように傾斜する一方側傾斜部を有し、
前記ジャーナルピンの軸方向に沿った前記少なくとも一断面において、前記外周面他方側部は、前記ジャーナルピンの軸方向における前記他方側へ向かうにつれて前記ジャーナルピンの軸線から離れるように傾斜する他方側傾斜部を有する請求項８に記載のジャーナル軸受装置。
【請求項１０】
前記ジャーナルピンの軸方向に沿った前記少なくとも一断面において、前記一方側傾斜部及び前記他方側傾斜部はそれぞれ凹状に湾曲している請求項９に記載のジャーナル軸受装置。
【請求項１１】
前記ジャーナルピンの軸方向に沿った前記少なくとも一断面において、前記一方側傾斜部の傾き及び前記他方側傾斜部の傾きはそれぞれ一定である請求項９に記載のジャーナル軸受装置。
【請求項１２】
前記ジャーナルピンの軸方向に沿った前記少なくとも一断面において、前記外周面中央部は前記ジャーナルピンの軸線に平行である請求項９乃至１１の何れか１項に記載のジャーナル軸受装置。
【請求項１３】
前記ジャーナルピンの軸方向に沿った前記少なくとも一断面において、前記ジャーナルピンの前記外周面全体が凹状に湾曲している請求項９に記載のジャーナル軸受装置。
【請求項１４】
前記ジャーナルピンの軸方向に沿った前記少なくとも一断面において、前記軸受面のうち前記軸受中央部に属する部分と前記ジャーナルピンの前記外周面との間隔の平均値をＤａｖｅ０、前記軸受面のうち前記一方側オーバーハング部に属する部分と前記ジャーナルピンの前記外周面との間隔の平均値をＤａｖｅ１、前記軸受面のうち前記他方側オーバーハング部に属する部分と前記ジャーナルピンの前記外周面との間隔の平均値をＤａｖｅ２とすると、Ｄａｖｅ０＞Ｄａｖｅ１、及びＤａｖｅ０＞Ｄａｖｅ２を満たすよう前記ジャーナルピンと前記連接棒とが構成される請求項１乃至１３の何れか１項に記載のジャーナル軸受装置。
【請求項１５】
前記ジャーナルピンの軸方向に垂直かつ前記連接棒の長手方向に垂直な方向を前記幹部側軸受部の奥行方向とすると、
前記軸受面は、前記奥行方向における中央に位置する軸受面中央領域と、前記奥行方向において前記軸受面中央領域の一方側に隣接する軸受面一方側領域と、前記奥行方向において前記軸受面中央領域の他方側に隣接する軸受面他方側領域と、を含み、
前記軸受面一方側領域及び前記軸受面他方側領域には、それぞれ、前記ジャーナルピンの周方向に延在する周方向油溝が形成されており、
前記軸受面中央領域には、前記ジャーナルピンの周方向に延在する周方向油溝が形成されておらず、
前記ジャーナルピンの軸方向に沿った前記少なくとも一断面は、前記軸受面中央領域を通る断面である請求項１乃至１４の何れか１項に記載のジャーナル軸受装置。
【発明の詳細な説明】
【技術分野】
【０００１】
本開示は、ジャーナル軸受装置に関する。
【背景技術】
【０００２】
往復動内燃機関には、ピストンの往復運動をクランク軸の回転運動に変換するために、ジャーナルピンと、ジャーナルピンの軸線周りを回動可能に構成された連接棒とを備えるジャーナル軸受装置が一般に用いられる。ここでのジャーナルピンとは、例えば連接棒がピストンピンとクランク軸とを連結するものであれば、ピストンピン又はクランクピンであり、連接棒がピストン棒に連結されたクロスヘッド軸受とクランクピンとを連結するものであれば、クロスヘッドピン又はクランクピンである。
【０００３】
近年、内燃機関の高出力化や高効率化が進んでおり、これに伴う燃焼圧力の増大等に起因して、上記ジャーナル軸受装置における連接棒の軸受部に作用する荷重も増大傾向にある。このため、軸受部の大型化を回避することが困難となっている。
【先行技術文献】
【特許文献】
【０００４】
【特許文献１】特開２００２−１５５９４５号公報
【発明の概要】
【発明が解決しようとする課題】
【０００５】
ところで、上述した往復動内燃機関のジャーナル軸受装置における連接棒は、図１３に示すように、幹部００６と、幹部００６の一端側に設けられ、ジャーナルピン００２の外周面００８のうち幹部側の面００８Ｌに対向する軸受面０１０を有する幹部側軸受部０１２と、を含んでいる。
【０００６】
この幹部側軸受部０１２には、連接棒００４の長手方向視において、幹部００６のうちジャーナルピン００２の軸方向における幅が最も小さい最小幅部０２０とオーバーラップする軸受中央部０１４と、上記軸方向において軸受中央部０１４の一方側に隣接し、上記軸方向において幹部００６の最小幅部０２０に対して一方側へ張り出した一方側オーバーハング部０１６と、上記軸方向において軸受中央部０１４の他方側に隣接し、上記軸方向において幹部００６の最小幅部０２０に対して他方側へ張り出した他方側オーバーハング部０１８と、を有するものがある。
【０００７】
本発明者の知見によれば、この種のジャーナル軸受装置では、一方側オーバーハング部０１６及び他方側オーバーハング部０１８がジャーナルピン００２の軸方向において幹部００６の最小幅部０２０に対してそれぞれ張り出しているため、幹部側軸受部０１２の軸受面０１０に作用する油膜圧力によって、一方側オーバーハング部０１６および他方側オーバーハング部０１８が図１３の二点鎖線に示すようにそれぞれ変形することがある。従来、ジャーナルピン００２の外周面００８と幹部側軸受部０１２の軸受面０１０との間隔Ｄは、油膜圧力による変形前においてジャーナルピンの軸方向位置によらず一定に設定されていたため、一方側オーバーハング部０１６および他方側オーバーハング部０１８に油膜圧力による変形が生じると、図１４に示すように、ジャーナルピンの軸方向における幹部側軸受部の両端付近（一方側オーバーハング部及び他方側オーバーハング部）において、幹部側軸受部の軸受面に作用する油膜圧力が小さくなっていた。
【０００８】
本発明者の知見によれば、この油膜圧力分布に示されるようにジャーナルピンの軸方向における軸受面の両端付近で有効に荷重を受けることができていないことが、軸受部の大型化の一因となっている。
【０００９】
特に大型の舶用ディーゼルエンジンでは、連接棒やその他部品の大きさから、オーバーハング部の変形量が油膜厚さと同等以上となるため、両端付近で有効に荷重を受けることが困難となる傾向にある。
【００１０】
特許文献１には、摺動面となる内周面に、周方向に延びる油溝を有する軸支承部材において、該油溝の幅方向両側から該内周面の軸線方向両側の端部に向かって次第に浅くなる浅底凹部を形成することにより、軸の回転に伴う摩擦損失を低減できる旨が記載されている。しかしながら、特許文献１に記載の軸支承部材は、そもそも上述した一方側オーバーハング部および他方側オーバーハング部を有する軸受部ではないため、該軸受部を小型化するための知見について何ら開示するものではない。
【００１１】
本発明は、上述したような従来の課題に鑑みなされたものであって、その目的とするところは、連接棒の軸受部を小型化することを可能とするジャーナル軸受装置を提供することである。
【課題を解決するための手段】
【００１２】
（１）本発明の少なくとも一実施形態に係るジャーナル軸受装置は、ジャーナルピンと、前記ジャーナルピンの軸線周りを回動可能に構成された連接棒と、を備えるジャーナル軸受装置であって、前記連接棒は、幹部と、前記幹部の一端側に設けられ、前記ジャーナルピンの外周面のうち前記幹部側の面に対向する軸受面を有する幹部側軸受部と、を含み、前記幹部側軸受部は、前記幹部のうち前記ジャーナルピンの軸方向における幅が最も小さい最小幅部とオーバーラップする軸受中央部と、前記ジャーナルピンの軸方向において前記軸受中央部の一方側に隣接し、前記ジャーナルピンの軸方向において前記幹部の前記最小幅部に対して前記一方側へ張り出した一方側オーバーハング部と、前記ジャーナルピンの軸方向において前記軸受中央部の他方側に隣接し、前記ジャーナルピンの軸方向において前記幹部の前記最小幅部に対して前記他方側へ張り出した他方側オーバーハング部と、を有し、前記軸受面のうち前記軸受中央部に属する部分と前記ジャーナルピンの前記外周面との間隔の最小値をＤ０、前記軸受面のうち前記一方側オーバーハング部に属する部分と前記ジャーナルピンの前記外周面との間隔の最小値をＤ１、前記軸受面のうち前記他方側オーバーハング部に属する部分と前記ジャーナルピンの前記外周面との間隔の最小値をＤ２とすると、Ｄ０＞Ｄ１、及びＤ０＞Ｄ２を満たすよう前記ジャーナルピンと前記連接棒とが構成される。
【００１３】
ジャーナルピンの外周面と幹部側軸受部の軸受面との隙間に存在する潤滑油の油膜圧力は、該外周面と該軸受面との間隔の大きさの影響を受ける。この点、上記（１）に記載のジャーナル軸受装置では、油膜圧力によって幹部側軸受部が変形する前の初期状態でＤ０＞Ｄ１を満たすことにより、該初期状態でＤ０＝Ｄ１を満たす従来構成と比較して、油膜圧力によって一方側オーバーハング部が変形しても、一方側オーバーハング部での軸受面とジャーナルピンの外周面との間隔の最小値を狭くすることができる。
【００１４】
また、油膜圧力によって幹部側軸受部が変形する前の初期状態でＤ０＞Ｄ２を満たすことにより、該初期状態でＤ０＝Ｄ２を満たす従来構成と比較して、油膜圧力によって他方側オーバーハング部が変形しても、他方側オーバーハング部での軸受面とジャーナルピンの外周面との間隔を狭くすることができる。
【００１５】
したがって、油膜圧力によって一方側オーバーハング部及び他方側オーバーハング部が変形しても、軸受中央部における軸受面に作用する油膜圧力と同等又は同等に近い油膜圧力を一方側オーバーハング部及び他方側オーバーハング部における軸受面に作用させることができる。これにより、初期状態でＤ０＝Ｄ１＝Ｄ２を満たす従来構成と比較して、軸受中央部、一方側オーバーハング部及び他方側オーバーハング部の各々について、軸受面に作用する局所的な荷重を互いに同等に近づけて、軸受部の小型化を実現することができる。
【００１６】
（２）幾つかの実施形態では、上記（１）に記載のジャーナル軸受装置において、前記軸受面のうち前記軸受中央部に属する部分と前記ジャーナルピンの軸線との距離の最小値をＲ０、前記軸受面のうち前記一方側オーバーハング部に属する部分と前記ジャーナルピンの軸線との距離の最小値をＲ１、前記軸受面のうち前記他方側オーバーハング部に属する部分と前記ジャーナルピンの軸線との距離の最小値をＲ２とすると、Ｒ０＞Ｒ１、及びＲ０＞Ｒ２を満たすよう前記連接棒の前記軸受面が形成されている。
【００１７】
上記（２）に記載のジャーナル軸受装置によれば、油膜圧力によって幹部側軸受部が変形する前の初期状態でＲ０＞Ｒ１、及びＲ０＞Ｒ２を満たすよう連接棒の軸受面を形成することで、ジャーナルピンの径を軸方向位置によらず一定にした場合であっても、上記（１）に記載の条件（Ｄ０＞Ｄ１、及びＤ０＞Ｄ２）を満たすことができる。これにより、上記（１）に記載の構成による効果（軸受中央部、一方側オーバーハング部及び他方側オーバーハング部の各々について、軸受面に作用する局所的な荷重を互いに同等に近づけて、軸受部の小型化を実現するという効果）を簡易な構成で得ることができる。
【００１８】
（３）幾つかの実施形態では、上記（１）又は（２）に記載のジャーナル軸受装置において、前記ジャーナルピンの軸方向に沿った前記少なくとも一断面において、前記軸受面のうち前記一方側オーバーハング部に属する部分は、前記ジャーナルピンの軸方向における前記一方側へ向かうにつれて前記ジャーナルピンの軸線に近づくように傾斜する一方側傾斜部を有し、前記ジャーナルピンの軸方向に沿った前記少なくとも一断面において、前記軸受面のうち前記他方側オーバーハング部に属する部分は、前記ジャーナルピンの軸方向における前記他方側へ向かうにつれて前記ジャーナルピンの軸線に近づくように傾斜する他方側傾斜部を有する。
【００１９】
上記（３）に記載のジャーナル軸受装置によれば、上記（１）の条件（Ｄ０＞Ｄ１、及びＤ０＞Ｄ２）を満たす軸受面を上記一方側傾斜部と他方側傾斜部を設けて実現することにより、上記（１）の条件を軸受面に段差部を設けて実現する場合と比較して、軸受面におけるジャーナルピンの軸方向の油膜圧力分布をなだらかな分布にすることができる。これにより、軸受中央部、一方側オーバーハング部及び他方側オーバーハング部の各々について、軸受面に作用する局所的な荷重を互いにより同等に近づけることができる。このため、軸受部の小型化を実現するという効果を高めることができる。
【００２０】
（４）幾つかの実施形態では、上記（３）に記載のジャーナル軸受装置において、前記ジャーナルピンの軸方向に沿った前記少なくとも一断面において、前記一方側傾斜部及び前記他方側傾斜部はそれぞれ凹状に湾曲している。
【００２１】
油膜圧力によって幹部側軸受部が変形する前の初期状態でＤ０＝Ｄ１＝Ｄ２を満たす従来構成の場合には、油膜圧力によって幹部側軸受部が変形すると、ジャーナルピンの軸方向に沿った断面において、軸受面は凸状に湾曲してしまう。この点、上記（４）に記載のジャーナル軸受装置では、油膜圧力によって幹部側軸受部が変形する前の初期状態で一方側傾斜部及び他方側傾斜部が凹状に湾曲しているため、油膜圧力によって幹部側軸受部が変形しても、軸受中央部、一方側オーバーハング部及び他方側オーバーハング部の各々について、軸受面に作用する局所的な荷重を互いにより同等に近づけることができる。このため、軸受部の小型化を実現するという効果を高めることができる。
【００２２】
（５）幾つかの実施形態では、上記（３）に記載のジャーナル軸受装置において、前記ジャーナルピンの軸方向に沿った前記少なくとも一断面において、前記一方側傾斜部の傾き及び前記他方側傾斜部の傾きはそれぞれ一定である。
【００２３】
上記（５）に記載のように一方側傾斜部の傾き及び他方側傾斜部の傾きをそれぞれ一定にした場合であっても、上記（１）の条件を軸受面に段差部を設けて実現する場合と比較して、軸受面におけるジャーナルピンの軸方向の油膜圧力分布をなだらかな分布にすることができる。
【００２４】
（６）幾つかの実施形態では、上記（３）乃至（５）の何れか１項に記載のジャーナル軸受装置において、前記ジャーナルピンの軸方向に沿った前記少なくとも一断面において、前記軸受面のうち前記軸受中央部に属する部分は前記ジャーナル軸受の軸線に平行である。
【００２５】
上記（６）に記載のように軸受面のうち軸受中央部に属する部分がジャーナルピンの軸線に平行であっても、油膜圧力によって幹部側軸受部が変形する前の初期状態に上記（１）の条件（Ｄ０＞Ｄ１、及びＤ０＞Ｄ２）を満たしていれば、軸受中央部、一方側オーバーハング部及び他方側オーバーハング部の各々について、軸受面に作用する局所的な荷重を互いに同等に近づけて、軸受部の小型化を実現することができる。
【００２６】
（７）幾つかの実施形態では、上記（３）に記載のジャーナル軸受装置において、前記ジャーナルピンの軸方向に沿った前記少なくとも一断面において、前記軸受面全体が凹状に湾曲している。
【００２７】
油膜圧力によって幹部側軸受部が変形する前の初期状態でＤ０＝Ｄ１＝Ｄ２を満たす従来構成の場合には、油膜圧力によって幹部側軸受部が変形すると、ジャーナルピンの軸方向に沿った断面において、軸受面は凸状に湾曲してしまう。この点、上記（７）に記載のジャーナル軸受装置では、ジャーナルピンの軸方向に沿った少なくとも一断面において、油膜圧力によって幹部側軸受部が変形する前の初期状態で軸受面全体が凹状に湾曲しているため、油膜圧力によって幹部側軸受部が変形しても、軸受中央部、一方側オーバーハング部及び他方側オーバーハング部の各々について、軸受面に作用する局所的な荷重を互いに同等により近づけることができる。したがって、軸受部の小型化を実現するという効果を高めることができる。
【００２８】
（８）幾つかの実施形態では、上記（１）乃至（７）の何れか１項に記載のジャーナル軸受装置において、前記ジャーナルピンの外周面は、前記軸受面のうち前記軸受中央部に属する部分に対向する外周面中央部と、前記軸受面のうち前記一方側オーバーハング部に属する部分に対向する外周面一方側部と、前記軸受面のうち前記他方側オーバーハング部に属する部分に対向する外周面他方側部と、を有し、前記ジャーナルピンの軸方向に沿った前記少なくとも一断面において、前記外周面中央部と前記ジャーナルピンの軸線との距離の最小値をｒ０、前記外周面一方側部と前記ジャーナルピンの軸線との距離の最小値をｒ１、前記外周面他方側部と前記ジャーナルピンの軸線との距離の最小値をｒ２とすると、ｒ０＜ｒ１、及びｒ０＜ｒ２を満たすよう前記ジャーナルピンの前記外周面が形成されている。
【００２９】
上記（８）に記載のジャーナル軸受装置によれば、油膜圧力によって幹部側軸受部が変形する前の初期状態でｒ０＜ｒ１、及びｒ０＜ｒ２を満たすようジャーナルピンの外周面を形成することで、ジャーナルピンの軸線と軸受面との距離を軸方向位置によらず一定にした場合であっても、上記（１）に記載の条件（Ｄ０＞Ｄ１、及びＤ０＞Ｄ２）を満たすことができる。これにより、軸受部の小型化を実現するという効果を簡易な構成で得ることができる。
【００３０】
（９）幾つかの実施形態では、上記（８）に記載のジャーナル軸受装置において、前記ジャーナルピンの軸方向に沿った前記少なくとも一断面において、前記外周面一方側部は、前記ジャーナルピンの軸方向における前記一方側へ向かうにつれて前記ジャーナルピンの軸線から離れるように傾斜する一方側傾斜部を有し、前記ジャーナルピンの軸方向に沿った前記少なくとも一断面において、前記外周面他方側は、前記ジャーナルピンの軸方向における前記他方側へ向かうにつれて前記ジャーナルピンの軸線から離れるように傾斜する他方側傾斜部を有する。
【００３１】
上記（９）に記載のジャーナル軸受装置によれば、上記（１）の条件（Ｄ０＞Ｄ１、及びＤ０＞Ｄ２）を満たすジャーナルピンの外周面を上記一方側傾斜部と他方側傾斜部を設けて実現することにより、上記（１）の条件をジャーナルピンの外周面に段差部を設けて実現する場合と比較して、軸受面におけるジャーナルピンの軸方向の油膜圧力分布をなだらかな分布にすることができる。これにより、軸受中央部、一方側オーバーハング部及び他方側オーバーハング部の各々について、軸受面に作用する局所的な荷重を互いに同等により近づけることができる。したがって、軸受部の小型化を実現するという効果を高めることができる。
【００３２】
（１０）幾つかの実施形態では、上記（９）に記載のジャーナル軸受装置において、前記ジャーナルピンの軸方向に沿った前記少なくとも一断面において、前記一方側傾斜部及び前記他方側傾斜部は凹状に湾曲している。
【００３３】
油膜圧力によって幹部側軸受部が変形する前の初期状態でＤ０＝Ｄ１＝Ｄ２を満たす従来構成の場合には、油膜圧力によって幹部側軸受部が変形すると、ジャーナルピンの軸方向に沿った断面において、軸受面は凸状に湾曲してしまう。この点、上記（１０）に記載のジャーナル軸受装置では、油膜圧力によって幹部側軸受部が変形する前の初期状態でジャーナルピンの外周面の一方側傾斜部及び他方側傾斜部が凹状に湾曲しているため、油膜圧力によって幹部側軸受部が変形しても、軸受中央部、一方側オーバーハング部及び他方側オーバーハング部の各々について、軸受面に作用する局所的な荷重を互いに同等により近づけることができる。したがって、軸受部の小型化を実現するという効果を高めることができる。
【００３４】
特に大型舶用ディーゼルエンジンのおける連接棒での軸受に適用した場合に、油膜圧力に対する変形量が大きいため、大きな効果が期待できる。
【００３５】
（１１）幾つかの実施形態では、上記（９）に記載のジャーナル軸受装置において、前記ジャーナルピンの軸方向に沿った前記少なくとも一断面において、前記一方側傾斜部の傾き及び前記他方側傾斜部の傾きは一定である。
【００３６】
上記（１１）に記載のように一方側傾斜部の傾き及び他方側傾斜部の傾きをそれぞれ一定にした場合であっても、上記（１）の条件をジャーナルピンの外周面に段差部を設けて実現する場合と比較して、軸受面におけるジャーナルピンの軸方向の油膜圧力分布をなだらかな分布にすることができる。
【００３７】
（１２）幾つかの実施形態では、上記（９）乃至（１１）の何れか１項に記載のジャーナル軸受装置において、前記ジャーナルピンの軸方向に沿った前記少なくとも一断面において、前記外周面中央部は前記ジャーナルピンの軸線に平行である。
【００３８】
上記（１２）に記載のようにジャーナルピンのうち外周面中央部に属する部分がジャーナルピンの軸線に平行であっても、油膜圧力によって幹部側軸受部が変形する前の初期状態に上記（１）の条件（Ｄ０＞Ｄ１、及びＤ０＞Ｄ２）を満たしていれば、軸受中央部、一方側オーバーハング部及び他方側オーバーハング部の各々について、軸受面に作用する局所的な荷重を互いに同等に近づけて、軸受部の小型化を実現することができる。
【００３９】
（１３）幾つかの実施形態では、上記（９）に記載のジャーナル軸受装置において、
記ジャーナルピンの軸方向に沿った前記少なくとも一断面において、前記ジャーナルピンの前記外周面全体が凹状に湾曲している。
【００４０】
油膜圧力によって幹部側軸受部が変形する前の初期状態でＤ０＝Ｄ１＝Ｄ２を満たす従来構成の場合には、油膜圧力によって幹部側軸受部が変形すると、ジャーナルピンの軸方向に沿った断面において、軸受面は凸状に湾曲してしまう。この点、上記（１３）に記載のジャーナル軸受装置では、ジャーナルピンの軸方向に沿った少なくとも一断面において、油膜圧力によって幹部側軸受部が変形する前の初期状態で軸受面全体が凹状に湾曲しているため、油膜圧力によって幹部側軸受部が変形しても、軸受中央部、一方側オーバーハング部及び他方側オーバーハング部の各々について、軸受面に作用する局所的な荷重を互いにより同等に近づけることができる。よって、軸受部の小型化を実現するという効果を高めることができる。
【００４１】
（１４）幾つかの実施形態では、上記（１）乃至（１３）の何れか１項に記載のジャーナル軸受装置において、前記ジャーナルピンの軸方向に沿った前記少なくとも一断面において、前記軸受面のうち前記軸受中央部に属する部分と前記ジャーナルピンの前記外周面との間隔の平均値をＤａｖｅ０、前記軸受面のうち前記一方側オーバーハング部に属する部分と前記ジャーナルピンの前記外周面との間隔の平均値をＤａｖｅ１、前記軸受面のうち前記他方側オーバーハング部に属する部分と前記ジャーナルピンの前記外周面との間隔の平均値をＤａｖｅ２とすると、Ｄａｖｅ０＞Ｄａｖｅ１、及びＤａｖｅ０＞Ｄａｖｅ２を満たすよう前記ジャーナルピンと前記連接棒とが構成される。
【００４２】
上記（１４）に記載のジャーナル軸受装置によれば、ジャーナルピンの軸方向に沿った少なくとも一断面において、Ｄａｖｅ０＞Ｄａｖｅ１、及びＤａｖｅ０＞Ｄａｖｅ２を満たすことにより、軸受中央部、一方側オーバーハング部及び他方側オーバーハング部の各々について軸受面に作用する局所的な荷重を互いにより同等に近づけて、軸受部の小型化を実現するという効果を高めることができる。
【００４３】
（１５）幾つかの実施形態では、上記（１）乃至（１４）の何れか１項に記載のジャーナル軸受装置において、前記ジャーナルピンの軸方向に垂直かつ前記連接棒の長手方向に垂直な方向を前記幹部側軸受部の奥行方向とすると、前記軸受面は、前記奥行方向における中央に位置する軸受面中央領域と、前記奥行方向において前記軸受面中央領域の一方側に隣接する軸受面一方側領域と、前記奥行方向において前記軸受面中央領域の他方側に隣接する軸受面他方側領域と、を含み、前記軸受面一方側領域及び前記軸受面他方側領域には、それぞれ、前記ジャーナルピンの周方向に延在する周方向油溝が形成されており、前記軸受面中央領域には、前記ジャーナルピンの周方向に延在する周方向油溝が形成されておらず、前記ジャーナルピンの軸方向に沿った前記少なくとも一断面は、前記軸受面中央領域を通る断面である。
【００４４】
上記（１５）に記載のジャーナル軸受装置によれば、軸受面一方側領域及び軸受面他方側領域には、それぞれ、ジャーナルピンの周方向に延在する周方向油溝が形成されており、軸受面中央領域には、ジャーナルピンの周方向に延在する周方向油溝が形成されていない。このため、軸方向一方側領域の周方向油溝及び軸方向他方側領域の周方向油溝から軸受面に潤滑油を供給しつつ、大きな荷重が作用する軸受面中央領域における荷重を受けられる面積を大きくすることができる。これにより、軸受面に潤滑油を良好に行き渡らせつつ、軸受部を小型化することができる。
【００４５】
また、周方向油溝が形成されていない軸受面中央領域では、ジャーナルピンの軸方向における中央部と両端部とで油膜圧力の差が大きくなりやすいが、このような場合であっても、油膜圧力によって幹部側軸受部が変形する前の初期状態に上記（１）の条件（Ｄ０＞Ｄ１、及びＤ０＞Ｄ２）を満たしていれば、油膜圧力によって一方側オーバーハング部及び他方側オーバーハング部が変形しても、軸受中央部における軸受面に作用する油膜圧力と同等又は同等に近い油膜圧力を一方側オーバーハング部及び他方側オーバーハング部における軸受面に作用させることができる。これにより、初期状態でＤ０＝Ｄ１＝Ｄ２を満たす従来構成と比較して、軸受中央部、一方側オーバーハング部及び他方側オーバーハング部の各々について、軸受面に作用する局所的な荷重を互いに同等に近づけて、軸受部の小型化を実現することができる。
【発明の効果】
【００４６】
本発明の少なくとも一つの実施形態によれば、連接棒の軸受部を小型化することを可能とするジャーナル軸受装置が提供される。
【図面の簡単な説明】
【００４７】
【図１】本発明の一実施形態に係るジャーナル軸受装置１００の概略斜視図である。
【図２】図１に示したジャーナル軸受装置１００における連接棒４の幹部側軸受部１２の概略斜視図である。
【図３】図２に示した幹部側軸受部１２の概略上面図（連接棒４の長手方向から見た図）である。
【図４】ジャーナル軸受装置１００におけるジャーナルピン２の軸線に沿った少なくとも一断面５０の一例５０Ａを模式的に示す図である。
【図５】ジャーナル軸受装置１００におけるジャーナルピン２の軸線に沿った少なくとも一断面５０の一例５０Ｂを模式的に示す図である。
【図６】ジャーナル軸受装置１００のジャーナルピン２の軸線に沿った少なくとも一断面５０の一例５０Ｃを模式的に示す図である。
【図７】ジャーナル軸受装置１００のジャーナルピン２の軸線に沿った少なくとも一断面５０の一例５０Ｄを模式的に示す図である。
【図８】ジャーナル軸受装置１００のジャーナルピン２の軸線に沿った少なくとも一断面５０の一例５０Ｅを模式的に示す図である。
【図９】ジャーナル軸受装置１００のジャーナルピン２の軸線に沿った少なくとも一断面５０の一例５０Ｆを模式的に示す図である。
【図１０】ジャーナル軸受装置１００のジャーナルピン２の軸線に沿った少なくとも一断面５０の一例５０Ｇを模式的に示す図である。
【図１１】ジャーナル軸受装置１００のジャーナルピン２の軸線に沿った少なくとも一断面５０の一例５０Ｈを模式的に示す図である。
【図１２】実施形態及び従来構成の各々について、ジャーナルピンの軸方向における軸受面に作用する油膜圧力の分布を示す図である。
【図１３】Ｄ０＝Ｄ１＝Ｄ２を満たす従来構成（ジャーナルピンの外周面と軸受面との間隔Ｄがジャーナルピンの軸方向位置によらず一定である従来構成）における、ジャーナルピンの軸線に沿った断面の一例を模式的に示す図である。
【図１４】Ｄ０＝Ｄ１＝Ｄ２を満たす従来構成の、ジャーナルピンの軸方向における軸受面に作用する油膜圧力の分布を示す図である。
【発明を実施するための形態】
【００４８】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００４９】
図１は、本発明の一実施形態に係るジャーナル軸受装置１００の概略斜視図である。図２は、図１に示したジャーナル軸受装置１００における連接棒４の幹部側軸受部１２の概略斜視図である。図３は、図２に示した幹部側軸受部１２の概略上面図（連接棒４の長手方向視における軸受面１０の概略図）である。
【００５０】
ジャーナル軸受装置１００は、例えば図１に示すように、ジャーナルピン２と、ジャーナルピン２の軸線Ｏ周りを回動可能に構成された連接棒４と、を備える。ここでのジャーナルピン２とは、例えば連接棒４が往復動内燃機関におけるピストンピンとクランク軸とを連結するものであれば、ピストンピン又はクランクピンであり、連接棒が往復動内燃機関におけるピストン棒に連結されたクロスヘッド軸受とクランクピンとを連結するものであれば、クロスヘッドピン又はクランクピンである。
【００５１】
連接棒４は、例えば図１又は図２に示すように、連接棒４の長手方向に延在する幹部６と、幹部６の一端側に設けられ、ジャーナルピン２の外周面８のうち幹部６側の面８Ｌに対向する軸受面１０を有する幹部側軸受部１２と、を含む。一実施形態では、図１に示すように、連接棒４は、ジャーナルピン２の外周面８のうち幹部６と反対側の面８Ｕに対向する軸受面１１を有する反対側軸受部１３としての軸受キャップを更に有する。他の実施形態では、幹部側軸受部１２と反対側軸受部１３とは、一つの部材で構成されていてもよい。
【００５２】
幹部側軸受部１２は、例えば図１及び図３に示すように、軸受中央部１４と、一方側オーバーハング部１６と、他方側オーバーハング部１８とを有する。軸受中央部１４は、幹部側軸受部１２のうち、連接棒４の長手方向視において、幹部６の最小幅部２０（幹部６のうちジャーナルピン２の軸方向における幅が最も小さい部分）とオーバーラップする部分である。一方側オーバーハング部１６は、幹部側軸受部１２のうち、ジャーナルピン２の軸方向において軸受中央部１４の一方側に隣接し、ジャーナルピン２の軸方向において幹部６の最小幅部２０に対して一方側へ張り出した部分である。他方側オーバーハング部１８は、ジャーナルピン２の軸方向において軸受中央部１４の他方側に隣接し、ジャーナルピン２の軸方向において幹部６の最小幅部２０に対して他方側へ張り出した部分である。
【００５３】
次に、図１〜図３を用いて説明したジャーナル軸受装置１００におけるジャーナルピン２の軸線に沿った断面構成例について、図４〜図１１を用いて幾つかの実施形態を説明する。
【００５４】
図４は、ジャーナル軸受装置１００におけるジャーナルピン２の軸線に沿った少なくとも一断面５０の一例５０Ａを模式的に示す図である。図５は、ジャーナル軸受装置１００におけるジャーナルピン２の軸線に沿った少なくとも一断面５０の一例５０Ｂを模式的に示す図である。図６は、ジャーナル軸受装置１００のジャーナルピン２の軸線に沿った少なくとも一断面５０の一例５０Ｃを模式的に示す図である。図７は、ジャーナル軸受装置１００のジャーナルピン２の軸線に沿った少なくとも一断面５０の一例５０Ｄを模式的に示す図である。図８は、ジャーナル軸受装置１００のジャーナルピン２の軸線に沿った少なくとも一断面５０の一例５０Ｅを模式的に示す図である。図９は、ジャーナル軸受装置１００のジャーナルピン２の軸線に沿った少なくとも一断面５０の一例５０Ｆを模式的に示す図である。図１０は、ジャーナル軸受装置１００のジャーナルピン２の軸線に沿った少なくとも一断面５０の一例５０Ｇを模式的に示す図である。図１１は、ジャーナル軸受装置１００のジャーナルピン２の軸線に沿った少なくとも一断面５０の一例５０Ｈを模式的に示す図である。
【００５５】
幾つかの実施形態では、図４〜図１１に示すように、ジャーナルピン２の軸方向に沿った少なくとも一断面５０（５０Ａ〜５０Ｈ）において、軸受面１０のうち軸受中央部１４に属する部分１０ａとジャーナルピン２の外周面８との間隔の最小値をＤ０、軸受面１０のうち一方側オーバーハング部１６に属する部分１０ｂとジャーナルピン２の外周面８との間隔の最小値をＤ１、軸受面１０のうち他方側オーバーハング部１８に属する部分１０ｃとジャーナルピン２の外周面８との間隔の最小値をＤ２とすると、Ｄ０＞Ｄ１、及びＤ０＞Ｄ２を満たすようジャーナルピン２と連接棒４とが構成されている。
【００５６】
ジャーナルピン２の外周面８と幹部側軸受部１２の軸受面１０との隙間に存在する潤滑油の油膜圧力は、該外周面８と該軸受面１０との間隔の大きさの影響を受ける。この点、図４〜図１１に示すように、油膜圧力によって幹部側軸受部１２が変形する前の初期状態でＤ０＞Ｄ１を満たすことにより、該初期状態でＤ０＝Ｄ１を満たす従来構成（図１３参照）と比較して、油膜圧力によって一方側オーバーハング部１６が変形しても、一方側オーバーハング部１６での軸受面１０（１０ｂ）とジャーナルピン２の外周面８との間隔を狭くすることができる。また、油膜圧力によって幹部側軸受部１２が変形する前の初期状態でＤ０＞Ｄ２を満たすことにより、該初期状態でＤ０＝Ｄ２を満たす従来構成（図１３参照）と比較して、油膜圧力によって他方側オーバーハング部１８が変形しても、他方側オーバーハング部１８での軸受面１０（１０ｃ）とジャーナルピン２の外周面８との間隔を狭くすることができる。
【００５７】
したがって、油膜圧力によって一方側オーバーハング部１６及び他方側オーバーハング部１８が変形しても、図１２に示すように、軸受中央部１４における軸受面１０（１０ａ）に作用する油膜圧力と同等又は同等に近い油膜圧力を一方側オーバーハング部１６及び他方側オーバーハング部１８における軸受面１０（１０ｂ，１０ｃ）にそれぞれ作用させることができる。これにより、初期状態でＤ０＝Ｄ１＝Ｄ２を満たす従来構成（図１３参照）と比較して、軸受中央部１４、一方側オーバーハング部１６及び他方側オーバーハング部１８の各々について、軸受面１０に作用する局所的な荷重を互いに同等に近づけて、軸受部１２の小型化を実現することができる。
【００５８】
幾つかの実施形態では、例えば図４〜図８に示すように、ジャーナルピン２の軸方向に沿った少なくとも一断面５０（５０Ａ〜５０Ｅ）において、軸受面１０のうち軸受中央部１４に属する部分１０ａとジャーナルピン２の軸線Ｏとの距離の最小値をＲ０、軸受面１０のうち一方側オーバーハング部１６に属する部分１０ｂとジャーナルピン２の軸線Ｏとの距離の最小値をＲ１、軸受面１０のうち他方側オーバーハング部１８に属する部分とジャーナルピン２の軸線Ｏとの距離の最小値をＲ２とすると、Ｒ０＞Ｒ１、及びＲ０＞Ｒ２を満たすよう連接棒４の軸受面１０が形成されている。
【００５９】
このように、油膜圧力によって幹部側軸受部１２が変形する前の初期状態でＲ０＞Ｒ１、及びＲ０＞Ｒ２を満たすよう連接棒４の軸受面１０を形成することで、ジャーナルピン２の半径ｒを軸方向位置によらず一定にした場合であっても、上記条件（Ｄ０＞Ｄ１、及びＤ０＞Ｄ２）を満たすことができる。これにより、「軸受中央部１４、一方側オーバーハング部１６及び他方側オーバーハング部１８の各々について、軸受面１０に作用する局所的な荷重を互いに同等に近づけて、軸受部１２の小型化を実現する」という効果を簡易な構成で得ることができる。
【００６０】
幾つかの実施形態では、例えば図４〜図６に示すように、ジャーナルピン２の軸方向に沿った少なくとも一断面５０（５０Ａ〜５０Ｃ）において、軸受面１０のうち一方側オーバーハング部１６に属する部分１０ｂは、ジャーナルピン２の軸方向における上記一方側（軸受中央部１４に対して一方側オーバーハング部１６が位置する側）へ向かうにつれてジャーナルピン２の軸線に近づくように傾斜する一方側傾斜部２２を有する。また、該一断面５０（５０Ａ〜５０Ｃ）において、軸受面１０のうち他方側オーバーハング部１８に属する部分１０ｃは、ジャーナルピン２の軸方向における他方側（軸受中央部１４に対して他方側オーバーハング部１８が位置する側）へ向かうにつれてジャーナルピン２の軸線に近づくように傾斜する他方側傾斜部２４を有する。
【００６１】
このように、上記条件（Ｄ０＞Ｄ１、及びＤ０＞Ｄ２）を満たす軸受面１０を上記一方側傾斜部２２と他方側傾斜部２４を設けて実現することにより、上記条件（Ｄ０＞Ｄ１、及びＤ０＞Ｄ２）を軸受面１０に段差部３４，３６を設けて実現する場合（図７及び図８参照）と比較して、軸受面１０におけるジャーナルピン２の軸方向の油膜圧力分布をなだらかな分布にすることができる。これにより、「軸受中央部１４、一方側オーバーハング部１６及び他方側オーバーハング部１８の各々について、軸受面１０に作用する局所的な荷重を互いに同等に近づけて、軸受部１２の小型化を実現する」という効果を高めることができる。
【００６２】
幾つかの実施形態では、例えば図４及び図６に示すように、ジャーナルピン２の軸方向に沿った少なくとも一断面５０（５０Ａ，５０Ｃ）において、一方側傾斜部２２及び他方側傾斜部２４はそれぞれ凹状に湾曲している。
【００６３】
図１３について上述したように、油膜圧力によって幹部側軸受部が変形する前の初期状態でＤ０＝Ｄ１＝Ｄ２を満たす従来構成の場合には、油膜圧力によって幹部側軸受部が変形すると、ジャーナルピンの軸方向に沿った断面において、軸受面は凸状に湾曲してしまう。この点、図４及び図６に示す実施形態では、上記断面５０（５０Ａ，５０Ｃ）において、油膜圧力によって幹部側軸受部１２が変形する前の初期状態で一方側傾斜部２２及び他方側傾斜部２４が凹状に湾曲しているため、油膜圧力によって幹部側軸受部１２が変形しても、軸受中央部１４、一方側オーバーハング部１６及び他方側オーバーハング部１８の各々について、軸受面１０に作用する局所的な荷重を互いにより同等に近づけることができる。このため、軸受部１２の小型化を実現するという効果を高めることができる。
【００６４】
一実施形態では、例えば図５に示すように、ジャーナルピン２の軸方向に沿った少なくとも一断面５０（５０Ｂ）において、一方側傾斜部２２の傾き及び他方側傾斜部２４の傾きはそれぞれ一定である。
【００６５】
このように一方側傾斜部２２の傾き及び他方側傾斜部２４の傾きをそれぞれ一定にした場合であっても、上記条件（Ｄ０＞Ｄ１、及びＤ０＞Ｄ２）を軸受面１０に段差部３４，３６を設けて実現する場合（図７及び図８参照）と比較して、軸受面１０におけるジャーナルピン２の軸方向の油膜圧力分布をなだらかな分布にすることができる。
【００６６】
幾つかの実施形態では、例えば図４及び図５に示すように、ジャーナルピン２の軸方向に沿った少なくとも一断面５０（５０Ａ，５０Ｂ）において、軸受面１０のうち軸受中央部１４に属する部分１０ａはジャーナルピン２の軸線に平行である。
【００６７】
このように軸受面１０のうち軸受中央部１４に属する部分１０ａがジャーナルピン２の軸線に平行であっても、油膜圧力によって幹部側軸受部１２が変形する前の初期状態に上記条件（Ｄ０＞Ｄ１、及びＤ０＞Ｄ２）を満たしていれば、軸受中央部１４、一方側オーバーハング部１６及び他方側オーバーハング部１８の各々について、軸受面１０に作用する局所的な荷重を互いに同等に近づけて、軸受部１２の小型化を実現することができる。
【００６８】
一実施形態では、例えば図６に示すように、ジャーナルピン２の軸方向に沿った少なくとも一断面５０（５０Ｃ）において、軸受面１０全体が凹状に湾曲している。
【００６９】
図１３について上述したように、油膜圧力によって幹部側軸受部が変形する前の初期状態でＤ０＝Ｄ１＝Ｄ２を満たす従来構成の場合には、油膜圧力によって幹部側軸受部が変形すると、ジャーナルピンの軸方向に沿った断面において、軸受面は凸状に湾曲してしまう。この点、図６に示す実施形態では、ジャーナルピン２の軸方向に沿った少なくとも一断面５０（５０Ｃ）において、油膜圧力によって幹部側軸受部１２が変形する前の初期状態で軸受面１０全体が凹状に湾曲しているため、油膜圧力によって幹部側軸受部１２が変形しても、軸受中央部１４、一方側オーバーハング部１６及び他方側オーバーハング部１８の各々について、軸受面１０に作用する局所的な荷重を互いにより同等に近づけることができる。このため、軸受部１２の小型化を実現するという効果を高めることができる
【００７０】
幾つかの実施形態では、例えば図７及び図８に示すように、ジャーナルピン２の軸方向に沿った少なくとも一断面５０（５０Ｄ，５０Ｅ）において、上記条件（Ｄ０＞Ｄ１、及びＤ０＞Ｄ２）を満たすよう、一方側オーバーハング部１６に段差部３４が設けられ、他方側オーバーハング部１８に段差部３６が設けられている。この場合、段差部３４の数は図７に示すように１つであってもよいし、図８に示すように複数であってもよい。また、段差部３６の数も、図７に示すように１つであってもよいし、図８に示すように複数であってもよい。
【００７１】
幾つかの実施形態では、例えば図９〜図１１に示すように、ジャーナルピン２の外周面８は、軸受面１０のうち軸受中央部１４に属する部分１０ａに対向する外周面中央部８ａと、軸受面１０のうち一方側オーバーハング部１６に属する部分１０ｂに対向する外周面一方側部８ｂと、軸受面１０のうち他方側オーバーハング部１８に属する部分１０ｃに対向する外周面他方側部８ｃと、を有する。ここで、ジャーナルピン２の軸方向に沿った少なくとも一断面５０（５０Ｆ〜５０Ｈ）において、外周面中央部８ａとジャーナルピン２の軸線Ｏとの距離の最小値をｒ０、外周面一方側部８ｂとジャーナルピン２の軸線Ｏとの距離の最小値をｒ１、外周面他方側部８ｃとジャーナルピン２の軸線Ｏとの距離の最小値をｒ２とすると、ｒ０＜ｒ１、及びｒ０＜ｒ２を満たすようジャーナルピン２の外周面８が形成されている。
【００７２】
このように、油膜圧力によって幹部側軸受部１２が変形する前の初期状態でｒ０＜ｒ１、及びｒ０＜ｒ２を満たすようジャーナルピン２の外周面８を形成することで、ジャーナルピン２の軸線と軸受面１０との距離Ｒを軸方向位置によらず一定にした場合であっても、上記条件（Ｄ０＞Ｄ１、及びＤ０＞Ｄ２）を満たすことができる。これにより、軸受部１２の小型化を実現するという効果を簡易な構成で得ることができる。
【００７３】
幾つかの実施形態では、例えば図９〜図１１に示すように、ジャーナルピン２の軸方向に沿った少なくとも一断面５０（５０Ｆ〜５０Ｈ）において、外周面一方側部８ｂは、ジャーナルピン２の軸方向における上記一方側（軸受中央部１４に対して一方側オーバーハング部１６が位置する側）へ向かうにつれてジャーナルピン２の軸線Ｏから離れるように傾斜する一方側傾斜部２６を有し、ジャーナルピン２の軸方向に沿った少なくとも一断面において、外周面他方側部８ｃは、ジャーナルピン２の軸方向における上記他方側（軸受中央部１４に対して他方側オーバーハング部１８が位置する側）へ向かうにつれてジャーナルピンの軸線から離れるように傾斜する他方側傾斜部２８を有する。
【００７４】
このように、上記条件（Ｄ０＞Ｄ１、及びＤ０＞Ｄ２）を満たすジャーナルピン２の外周面８を上記一方側傾斜部２６と他方側傾斜部２８を設けて実現することにより、上記条件（Ｄ０＞Ｄ１、及びＤ０＞Ｄ２）をジャーナルピン２の外周面８に段差部を設けて実現する場合と比較して、軸受面１０におけるジャーナルピン２の軸方向の油膜圧力分布をなだらかな分布にすることができる。これにより、軸受中央部１４、一方側オーバーハング部１６及び他方側オーバーハング部１８の各々について、軸受面１０に作用する局所的な荷重を互いに同等により近づけることができる。したがって、軸受部１２の小型化を実現するという効果を高めることができる。
【００７５】
幾つかの実施形態では、例えば図９及び図１１に示すように、ジャーナルピン２の軸方向に沿った少なくとも一断面５０（５０Ｆ，５０Ｈ）において、一方側傾斜部２６及び他方側傾斜部２８はそれぞれ凹状に湾曲している。
【００７６】
図１３について上述したように、油膜圧力によって幹部側軸受部が変形する前の初期状態でＤ０＝Ｄ１＝Ｄ２を満たす従来構成の場合には、油膜圧力によって幹部側軸受部が変形すると、ジャーナルピンの軸方向に沿った断面において、軸受面は凸状に湾曲してしまう。この点、図９及び図１１に示す実施形態では、油膜圧力によって幹部側軸受部１２が変形する前の初期状態で、ジャーナルピン２の外周面８の一方側傾斜部２６及び他方側傾斜部２８が凹状に湾曲しているため、油膜圧力によって幹部側軸受部１２が変形しても、軸受中央部１４、一方側オーバーハング部１６及び他方側オーバーハング部１８の各々について、軸受面１０に作用する局所的な荷重を互いに同等により近づけることができる。したがって、軸受部１２の小型化を実現するという効果を高めることができる。
【００７７】
一実施形態では、例えば図１０に示すように、ジャーナルピン２の軸方向に沿った少なくとも一断面５０（５０Ｇ）において、一方側傾斜部２６の傾き及び他方側傾斜部２８の傾きはそれぞれ一定である。
【００７８】
このように一方側傾斜部２６の傾き及び他方側傾斜部２８の傾きをそれぞれ一定にした場合であっても、上記条件（Ｄ０＞Ｄ１、及びＤ０＞Ｄ２）をジャーナルピン２の外周面８に段差部を設けて実現する場合と比較して、軸受面１０におけるジャーナルピン２の軸方向の油膜圧力分布をなだらかな分布にすることができる。
【００７９】
幾つかの実施形態では、例えば図９及び図１０に示すように、ジャーナルピン２の軸方向に沿った少なくとも一断面５０（５０Ｆ，５０Ｇ）において、前記外周面中央部８ａはジャーナルピンの軸線Ｏに平行である。
【００８０】
このように外周面中央部８ａがジャーナルピン２の軸線に平行であっても、油膜圧力によって幹部側軸受部１２が変形する前の初期状態に上記条件（Ｄ０＞Ｄ１、及びＤ０＞Ｄ２）を満たしていれば、軸受中央部１４、一方側オーバーハング部１６及び他方側オーバーハング部１８の各々について、軸受面１０に作用する局所的な荷重を互いに同等に近づけて、軸受部１２の小型化を実現することができる。
【００８１】
一実施形態では、例えば図１１に示すように、ジャーナルピン２の軸方向に沿った少なくとも一断面５０（５０Ｈ）において、ジャーナルピン２の外周面８全体が凹状に湾曲している。
【００８２】
図１３について上述したように、油膜圧力によって幹部側軸受部が変形する前の初期状態でＤ０＝Ｄ１＝Ｄ２を満たす従来構成の場合には、油膜圧力によって幹部側軸受部が変形すると、ジャーナルピンの軸方向に沿った断面において、軸受面は凸状に湾曲してしまう。この点、図１１に示す実施形態では、ジャーナルピン２の軸方向に沿った少なくとも一断面５０（５０Ｈ）において、外周面８全体が凹状に湾曲しているため、油膜圧力によって幹部側軸受部１２が変形しても、軸受中央部１４、一方側オーバーハング部１６及び他方側オーバーハング部１８の各々について、軸受面１０に作用する局所的な荷重を互いにより同等に近づけることができる。よって、軸受部１２の小型化を実現するという効果を高めることができる。
【００８３】
幾つかの実施形態では、図４〜図１１に示すジャーナルピン２の軸方向に沿った少なくとも一断面５０（５０Ａ〜５０Ｈ）において、軸受面１０のうち軸受中央部１４に属する部分１０ａとジャーナルピン２の外周面８との間隔の平均値をＤａｖｅ０、軸受面１０のうち一方側オーバーハング部１６に属する部分１０ｂとジャーナルピン２の外周面８との間隔の平均値をＤａｖｅ１、軸受面１０のうち他方側オーバーハング部１８に属する部分１０ｃとジャーナルピン２の外周面８との間隔の平均値をＤａｖｅ２とすると、Ｄａｖｅ０＞Ｄａｖｅ１、及びＤａｖｅ０＞Ｄａｖｅ２を満たすようジャーナルピン２と連接棒４とが構成される。
【００８４】
図４〜図１１に示す幾つかの実施形態によれば、ジャーナルピン２の軸方向に沿った少なくとも一断面５０（５０Ａ〜５０Ｈ）において、Ｄａｖｅ０＞Ｄａｖｅ１、及びＤａｖｅ０＞Ｄａｖｅ２を満たすことにより、軸受中央部１４、一方側オーバーハング部１６及び他方側オーバーハング部１８の各々について軸受面１０に作用する局所的な荷重を互いにより同等に近づけることができる。これにより、軸受部１２の小型化を実現するという効果を高めることができる。
【００８５】
幾つかの実施形態では、図３に示すように、軸受面１０は、幹部側軸受部１２の奥行方向（ジャーナルピン２の軸方向に垂直かつ連接棒４の長手方向に垂直な方向）における中央に位置する軸受面中央領域１０ｄと、幹部側軸受部１２の奥行方向において軸受面中央領域１０ｄの一方側に隣接する軸受面一方側領域１０ｅと、幹部側軸受部１２の奥行方向において軸受面中央領域１０ｄの他方側に隣接する軸受面他方側領域１０ｆと、を含む。
【００８６】
ここで、軸受面一方側領域１０ｅ及び軸受面他方側領域１０ｆには、それぞれ、ジャーナルピン２の周方向に延在する周方向油溝３０が形成されており、軸受面中央領域１０ｄには、ジャーナルピン２の周方向に延在する周方向油溝３０が形成されていない。そして、上述した幾つかの実施形態におけるジャーナルピン２の軸方向に沿った少なくとも一断面５０（５０Ａ〜５０Ｈ）は、軸受面中央領域１０ｄを通る断面であってもよい。
【００８７】
なお、幹部側軸受部１２の奥行方向における軸受面１０の中央位置をＭとすると、軸受面中央領域１０ｄは、ジャーナルピン２の周方向において、中央位置Ｍに対して±３０度以内の範囲Ｓであってもよい。
【００８８】
また、周方向油溝３０が形成されていない軸受面中央領域１０ｄでは、ジャーナルピン２の軸方向における中央部と両端部とで油膜圧力の差が大きくなりやすいが、このような場合であっても、油膜圧力によって幹部側軸受部１２が変形する前の初期状態に上記条件（Ｄ０＞Ｄ１、及びＤ０＞Ｄ２）を満たしていれば、油膜圧力によって一方側オーバーハング部１６及び他方側オーバーハング部１８が変形しても、軸受中央部１４における軸受面１０に作用する油膜圧力と同等又は同等に近い油膜圧力を一方側オーバーハング部１６及び他方側オーバーハング部１８における軸受面１０に作用させることができる。これにより、図１３を用いて説明した初期状態でＤ０＝Ｄ１＝Ｄ２を満たす従来構成と比較して、軸受中央部１４、一方側オーバーハング部１６及び他方側オーバーハング部１８の各々について、軸受面１０に作用する局所的な荷重を互いに同等に近づけて、軸受部１２の小型化を実現することができる。
【００８９】
本発明は上述した実施形態に限定されることはなく、上述した実施形態に変形を加えた形態や、これらの形態を適宜組み合わせた形態も含む。
【符号の説明】
【００９０】
２  ジャーナルピン
４  連接棒
６  幹部
８  外周面
８Ｌ  外周面のうち幹部側の面
８Ｕ  外周面のうち幹部側と反対側の面
８ａ  外周面中央部
８ｂ  外周面一方側部
８ｃ  外周面他方側部
１０  軸受面
１０ａ  軸受面のうち軸受中央部に属する部分
１０ｂ  軸受面のうち一方側オーバーハング部に属する部分
１０ｃ  軸受面のうち他方側オーバーハング部に属する部分
１０ｄ  軸受面中央領域
１０ｅ  軸受面一方側領域
１０ｆ  軸受面他方側領域
１１  軸受面
１２  幹部側軸受部
１３  反対側軸受部
１４  軸受中央部
１６  一方側オーバーハング部
１８  他方側オーバーハング部
２０  最小幅部
２２  一方側傾斜部
２４  他方側傾斜部
２６  一方側傾斜部
２８  他方側傾斜部
３０  周方向油溝
３４  段差部
３６  段差部
５０（５０Ａ〜５０Ｈ）  断面
１００  ジャーナル軸受装置
【図１】
2016161004.tif 000003
【図２】
2016161004.tif 000004
【図３】
2016161004.tif 000005
【図４】
2016161004.tif 000006
【図５】
2016161004.tif 000007
【図６】
2016161004.tif 000008
【図７】
2016161004.tif 000009
【図８】
2016161004.tif 000010
【図９】
2016161004.tif 000011
【図１０】
2016161004.tif 000012
【図１１】
2016161004.tif 000013
【図１２】
2016161004.tif 000014
【図１３】
2016161004.tif 000015
【図１４】
2016161004.tif 000016